(57)【要約】【課題】酵母菌感染症の予防・改善に用いるための生理用ナプキン【解決手段】透水性の表面シートと非透水性の裏面シートの間に吸水材を介装して構成される生理用ナプキンであって、透水性の表面シートと吸水材の間に抗菌シートを配置してなり、該抗菌シートは、紙又は不織布に、ヒノキチオール若しくはその金属錯体又はそれらの塩を含む水溶液又はアルコール含有率２０ないし６０％のアルコール溶液を含浸又は塗布したことを特徴とする、酵母菌感染症の予防・改善に用いるための生理用ナプキン【選択図】なし【特許請求の範囲】
【請求項１】
透水性の表面シートと非透水性の裏面シートの間に吸水材を介装して構成される生理用ナプキンであって、透水性の表面シートと吸水材の間に抗菌シートを配置してなり、該抗菌シートは、紙又は不織布に、ヒノキチオール若しくはその金属錯体又はそれらの塩を含む水溶液又はアルコール含有率２０ないし６０％のアルコール溶液を含浸又は塗布したことを特徴とする、酵母菌感染症の予防・改善に用いるための生理用ナプキン。
【請求項２】
前記ヒノキチオール若しくはその金属錯体又はそれらの塩において２種以上の金属が使用される請求項１記載の生理用ナプキン。
【請求項３】
前記金属が銅、アルミニウム、亜鉛又はこれらの混合物である請求項２記載の生理用ナプキン。
【請求項４】
アロエ、緑茶、熊笹、及びドクダミからなる群より選ばれる少なくとも１種の抽出物を含む水溶液を使用する請求項１ないし３の何れか１項に記載の生理用ナプキン。
【請求項５】
グリセリン及び界面活性剤からなる群より選ばれる少なくとも１種を含む水溶液を使用する請求項１ないし４の何れか１項に記載の生理用ナプキン。
【請求項６】
酵母菌感染症が膣カンジダ症である請求項１ないし５の何れか１項に記載の生理用ナプキン。
【発明の詳細な説明】
【技術分野】
【０００１】
本発明は、酵母菌感染症、特に、膣カンジダ症の予防・改善に用いるための生理用ナプキンに関するものであり、詳細には、透水性の表面シートと吸水材の間に抗菌シートを配置してなり、該抗菌シートは、紙又は不織布に、ヒノキチオール若しくはその金属錯体又はそれらの塩を含む水溶液又はアルコール含有率２０ないし６０％のアルコール溶液を含浸又は塗布したことを特徴とする生理用ナプキンに関する。
【背景技術】
【０００２】
水虫やたむし等の皮膚白癬やカンジダ症などの酵母菌感染症の治療には、ミコナゾール、テルコナゾール、イトラコナゾール、クロトリマゾール等のようなアゾールの抗真菌剤が使用されているが、これらの抗真菌剤は、皮膚刺激性など、皮膚に対して悪影響を及ぼすことがあった。
そのため、酵母菌感染症の予防・治療のために、より安全性の高い薬剤が求められており、特に、これらの薬剤は、酵母菌感染によって損傷した皮膚患部に適用することが多いため、健康な皮膚に対して用いる場合よりも、より安全性に優れる薬剤であることが要求される。
また、カンジダ症は、皮膚、粘膜、腸管等において、他の常在菌と共に存在している非病原性の酵母菌であるカンジダ・アルビカンスが、ステロイド、抗生物質、免疫抑制剤等の薬物の過剰投与、糖尿病や免疫不全等による免疫力の低下、衛生状態の劣悪化等を原因とする常在菌のバランスの崩れにより発症するものであるため、再発や再感染を繰り返しやすい疾患である。
カンジダ症のなかでも、膣カンジダ症は多くの女性が感染したことがあり、加えて、上記のように再発や再感染を繰り返し易いにもかかわらず、心情的理由から医師による十分な検査を行わず、患者自身の判断で市販のＯＴＣ医薬品により処置されるケースも多い。
そのため、薬剤の選択が不適切で、十分な治療効果が得られなかったり、逆に症状が悪化することもあった。
また、特に、生理中は、カンジダ菌や他の雑菌が繁殖しやすい状態にあるにも拘らず、出血等のため、通常、塗り薬等は使用できないという問題があった。
従って、安全性が高く、それゆえ安心して使用できる生理用ナプキンであって、酵母菌感染症、特に、膣カンジダ症の予防、改善、再発防止効果を有し、且つ他の菌に対しても有効である上記酵母菌感染症、特に、膣カンジダ症の予防、改善、再発防止のための生理用ナプキンに対する要求が存在する。
一方、幅広い抗菌性を有し、天然素材で安全性が高い物質としてヒノキチオールが知られている。しかし、ヒノキチオールは、水溶化が困難であり、紫外線に弱いという欠点を有しているため、溶解性が高いアルコールに混ぜて使用されるのが一般的であり、歯磨き、ヘアートニック等に使用されるに留まっている。
また、天然ヒノキチオールは食品添加物にも指定されているにも拘らず、上記の理由等により、梅干のカビの予防程度にしか使用されていない。
【発明の概要】
【発明が解決しようとする課題】
【０００３】
本発明は、酵母菌感染症、特に、膣カンジダ症の予防・改善に有用な生理用ナプキンの提供を課題とする。
【課題を解決するための手段】
【０００４】
本発明者らは、上記課題を解決するために鋭意検討した結果、安全性に優れる天然素材であるヒノキチオール若しくはその金属錯体又はそれらの塩を含む水溶液又はアルコール
含有率２０ないし６０％のアルコール溶液を、紙又は不織布に含浸又は塗布した抗菌シートを、透水性の表面シートと吸水材の間に配置してなる生理用ナプキンが、人体に対する安全性が高く且つ低刺激性である、酵母菌感染症、特に、膣カンジダ症の予防・改善に有用な生理用ナプキンとなり得ることを見出し本発明を完成させた。
【０００５】
即ち、本発明は、
（１）透水性の表面シートと非透水性の裏面シートの間に吸水材を介装して構成される生理用ナプキンであって、透水性の表面シートと吸水材の間に抗菌シートを配置してなり、該抗菌シートは、紙又は不織布に、ヒノキチオール若しくはその金属錯体又はそれらの塩を含む水溶液又はアルコール含有率２０ないし６０％のアルコール溶液を含浸又は塗布したことを特徴とする、酵母菌感染症の予防・改善に用いるための生理用ナプキン、
（２）前記ヒノキチオール若しくはその金属錯体又はそれらの塩において２種以上の金属が使用される前記（１）記載の生理用ナプキン、
（３）前記金属が銅、アルミニウム、亜鉛又はこれらの混合物である前記（２）記載の生理用ナプキン、
（４）アロエ、緑茶、熊笹、及びドクダミからなる群より選ばれる少なくとも１種の抽出物を含む水溶液を使用する前記（１）ないし（３）の何れか１つに記載の生理用ナプキン、
（５）グリセリン及び界面活性剤からなる群より選ばれる少なくとも１種を含む水溶液を使用する前記（１）ないし（４）の何れか１つに記載の生理用ナプキン、
（６）酵母菌感染症が膣カンジダ症である前記（１）ないし（５）の何れか１つに記載の生理用ナプキン、
に関する。
【発明の効果】
【０００６】
本発明の生理用ナプキンは、各種酵母菌に対する優れた、幅広い抗菌・殺菌効果を有し、人体に対する安全性が高く且つ低刺激性であるため、生理中における、酵母菌感染症、特に膣カンジダ症に対する予防・改善において有用である。
また、本発明の生理用ナプキンは、酵母菌以外の菌に対しても幅広い抗菌・殺菌効果を有するため、酵母菌に加えて他の菌が複合的に関与するような酵母菌感染症に対する予防・改善においても有用である。
本発明の生理用ナプキンは、その使用により、酵母菌感染症、特に膣カンジダ症の感染、再発、再感染を抑えることができる。
また、本発明の生理用ナプキンは、安全性に優れ、低刺激性であるため、膣カンジダ症の発症後の生理においても安心して使用でき、これにより、症状を軽度に抑えることができ、また、治癒までの期間を短くすることができ、また、例え生理中に発症したとしても、症状を軽度に抑えることができ、それにより、治癒までの期間を短くすることができる。
【発明を実施するための形態】
【０００７】
更に詳細に本発明を説明する。
本発明の酵母菌感染症の予防・改善に用いるための生理用ナプキンは、透水性の表面シートと非透水性の裏面シートの間に吸水材を介装して構成される生理用ナプキンであって、透水性の表面シートと吸水材の間に抗菌シートを配置してなり、該抗菌シートは、紙又は不織布に、ヒノキチオール若しくはその金属錯体又はそれらの塩を含む水溶液又はアルコール含有率２０ないし６０％のアルコール溶液を含浸又は塗布したことを特徴とする。
【０００８】
抗菌シートに使用する紙又は不織布は、吸水材への生理血やおりものの吸収を妨げない限りにおいて、特に限定されるものではなく、具体的な紙としては、例えば、上質紙、中質紙、コート紙、アート紙、マット紙及び再生紙等が挙げられ、具体的な不織布としては
、適度な強度と柔軟性を持つものが好ましく、具体的には、例えばポリプロピレン、ポリエチレン、ナイロン、アクリル、ウレタン、ポリエステル、レーヨン、綿、麻、絹、セルロース、ウール等の繊維を単独でまたは混合して作ったものを用いることができる。また本発明に使用する紙又は不織布は、単独で用いてもよく、同一もしくは異なる種類の紙又は不織布を複数枚積層してもよい。また、天然セルロース繊維や再生セルロース繊維等のセルロース繊維は親水性や保水性が高いため、これらを含有する紙又は不織布が好ましい。尚、具体的な不織布の種類としては、例えば、サーマルボンド不織布、ケミカルボンド不織布、スパンレース不織布、エアレイド不織布、湿式不織布及び複合化不織布等を挙げることができる。
また、抗菌シートは、生理血やおりものが生理用ナプキンの横からもれにくいように、例えば、エンボス加工のような凹凸を形成して、生理血やおりものを抗菌シートの表面で保持し易いような表面加工を行ったり、また、吸水材への生理血やおりものの吸収を向上させるために、抗菌シートに単数又は複数の穴部を形成してもよい。
【０００９】
抗菌シートに使用するヒノキチオールは、タイワンヒノキ、ヒバ、アスナロ等の原料植物に由来する精油から抽出された天然物でもよく、化学合成品でもよい。また、市販品のヒノキチオールをそのまま用いてもよい。原料植物としては、入手容易性の観点から、ヒバが好ましい。原料植物からのヒノキチオールの抽出・精製は公知の方法により行うことができる。前記精油としてはヒバ油が好ましい。化学合成品も公知の方法により得ることができる。市販のものとしては、たとえば、高砂香料（株）や大阪有機化学工業（株）から販売されているものを挙げることができる。
【００１０】
ヒノキチオールの金属錯体としては、ヒノキチオールと、亜鉛、銅、鉄、カルシウム、マグネシウム、バリウム、スズ、コバルト、チタン、バナジウムなどとの金属錯体が挙げられる。ヒノキチオールと金属との割合は、特に限定されるものではないが、通常、ヒノキチオール：金属のモル比が２：１のもの、あるいは３：１のものが好ましく用いられる。
【００１１】
ヒノキチオール若しくはヒノキチオールの金属錯体の塩としては、ナトリウム塩、カリウム塩等のアルカリ金属塩；カルシウム塩、マグネシウム塩等のアルカリ土類金属塩；銅塩、亜鉛塩等の遷移金属塩；ジエタノールアミン塩、２−アミノ−２−エチル−１，３−プロパンジオール塩、トリエタノールアミン塩等のアルカノールアミン塩；モルホリン塩、ピペラジン塩、ピペリジン塩等のヘテロ環アミン塩、アンモニウム塩、アルギニン塩、リジン塩、ヒスチジン塩等の塩基性アミン塩等の有機塩類等を挙げることができる。
【００１２】
これらのヒノキチオール若しくはその金属錯体又はこれらの塩は、１種類だけ単独で含有されていてもよいし、２種類以上併用してもよく、２種以上の金属が使用されるのが好ましい。
【００１３】
また、好ましくは、前記金属は銅、亜鉛、アルミニウム、ビスマス又はこれらの混合物である。
また、ヒノキチオールアルミニウム錯体、ヒノキチオール亜鉛錯体、ヒノキチオール塩化亜鉛混合物又はこれらの混合物が好ましい。
【００１４】
また、ヒノキチオールの金属錯体又は金属錯体の塩は、耐光性がヒノキチオールよりも優れているので、耐候性が要求される場合には、ヒノキチオールの金属錯体又は金属錯体の塩を用いることが好ましい。
更に、ヒノキチオールの金属錯体又は金属錯体の塩は、ヒノキチオールよりも低い濃度（例えば、１／１０程度の濃度）で同等の効果を示すことから経済的な面からも好ましい。
【００１５】
ヒノキチオール若しくはその金属錯体又はそれらの塩は、媒体１０００ｇに対して、５０μｇないし１００ｇ、好ましくは、０．１ｇないし１０ｇ、より好ましくは、０．５ないし３ｇの割合で添加される。
尚、上記媒体は、水であるか又はアルコール含有率２０ないし６０％となるアルコール（水溶液）である。
【００１６】
水溶液に使用する水は、水道水でも脱イオン水や蒸留水等の精製水でも使用できるが、脱イオン水等の精製水を使用するのが好ましい。
アルコール溶液に使用するアルコールは、たとえば、メタノール、エタノール、エチレングリコール、プロピレングリコール、ジエチレングリコール、ジプロピレングリコール、ポリエチレングリコール、グリセリン等が挙げられる。これらは単独であるいは複数を組み合わせて使用してもよい。好ましいアルコールはエタノールである。
【００１７】
紙又は不織布に含浸又は塗布する水溶液又はアルコール溶液中には、更に、アロエ、緑茶、熊笹、及びドクダミからなる群より選ばれる少なくとも１種の抽出物を含むことができる。これらの抽出成分自体、ヒノキチオールほどではないにしても抗菌力を有するため、他の有害な菌に対する消毒効果を期待できる。また、ヒノキチオールは、一般に水に対する溶解度が０．２質量％が限界といわれているが、これらの抽出液との併用により、１質量％程度の水溶液を容易に得ることができる。従って、ヒノキチオールの含有量の高い水溶液を容易に調製できるという点からも、上記抽出物を共存させることが好ましい。
【００１８】
アロエの抽出物とは、主にアロエが葉に持つゼリー状の身（葉肉）を厚搾抽出法で抽出し、熱を加えて濃縮安定化したエキスをいう。このようなアロエエキスに代えて、主成分であるアントラキノン誘導体のアロインやバーバーロインを用いてもよい。アロエ抽出物には、アロインやバーバーロインの他、アロエ‐エモジン、アロエシン、アロエニンなども含まれる。
【００１９】
緑茶の抽出物としては、粉砕した緑茶を熱湯で抽出し、精製し濃縮した液を使用する。緑茶の抽出物の主成分は茶ポリフェノールである。茶ポリフェノールは、分子内にフェノール性水酸基を複数もつ化合物の総称で、カテキン、エピカテキン、ガロカテキン、エピガロカテキン、エピガテキンガレート、エピガロカテキンガレートなどを主要成分とする。
【００２０】
熊笹の抽出物は、低温高圧圧搾抽出法で、熊笹を抽出することにより得られる。低温高圧圧搾抽出法は、熊笹を高圧に設定した機械装置によって温度を上げずに抽出する方法で、その時にしぼり出された液を濃縮した液が熊笹抽出物となる。熊笹は、日本や中国に広く分布しているイネ科のササの１種である。熊笹の抽出物には、主成分であるトリテルペノール（β−アミリン・フリーデン）の他、リグニン残渣、還元糖、グルコースなどの糖類も含まれている。熊笹の抽出物に代えて、これらの合成品の混合物を用いることもできる。
【００２１】
ドクダミは、日本、タイワン、中国、ヒマラヤ、ジャワに分布し、山野や庭などに見られる多年草である。ドクダミの抽出物は、熊笹と同様に、低温高圧圧搾抽出法という方法で抽出する。ドクダミ抽出物には、クエルシトリン（quercitrin）、アフゼニン（afzenin）、ハイぺリン（hyperin）、ルチン、クロロゲン酸、β−シトステロール、cisおよびtrans-Ｎ-(4-ヒドロキシスチリル）が含まれている。熊笹の抽出物に代えて、これらの合
成品の混合物を用いることもできる。
【００２２】
前記抽出物としては、アロエ、緑茶、熊笹及びドクダミの抽出物から選択される１種類
だけを用いてもよいが、２種類以上を併用することが好ましく、より好ましくは上記４種の抽出物を全て含む。
【００２３】
前記抽出物を添加する際の配合量は、ヒノキチオール若しくはその金属錯体又はそれらの塩１質量部に対して、１ないし４質量部使用するのが好ましく、より好ましくは、１．２ないし３．５質量部の範囲である。
また、添加する際の各抽出物の配合量は以下の通りである。
例えば、アロエの抽出物は、媒体１０００ｇに対して、２０μｇないし１００ｇ、好ましくは、０．１ｇないし１０ｇ、より好ましくは、０．５ないし２．５ｇの割合で添加される。
例えば、緑茶の抽出物は、媒体１０００ｇに対して、２０μｇないし１００ｇ、好ましくは、０．１ｇないし５ｇ、より好ましくは、０．２ないし２ｇの割合で添加される。
例えば、熊笹の抽出物は、媒体１０００ｇに対して、１０μｇないし５０ｇ、好ましくは、０．０５ｇないし３ｇ、より好ましくは、０．１ないし１ｇの割合で添加される。
例えば、ドクダミの抽出物は、媒体１０００ｇに対して、１０μｇないし５０ｇ、好ましくは、０．０５ｇないし３ｇ、より好ましくは、０．１ないし１ｇの割合で添加される。
尚、上記媒体は、水又はアルコール含有率２０ないし６０％となるアルコール（水溶液）である。
【００２４】
紙又は不織布に含浸又は塗布する水溶液又はアルコール溶液中には、グリセリン及び界面活性剤からなる群より選ばれる少なくとも１種を添加することもできる。
【００２５】
グリセリンとしては、グリセリンおよびグリセリンの各種誘導体が挙げられる。
界面活性剤としては、グリセリン脂肪酸エステル類、キラヤサポニン等が挙げられる。これらを含有することにより、ヒノキチオール濃度を１０質量％にまで高めた水溶液とすることができる。
【００２６】
アルコール溶液を使用する場合は、上記のような添加物を使用することなく高濃度のヒノキチオール溶液とすることができる。抗菌シートにおいては、殆どの場合、アルコールは含浸又は塗布後又はその間に蒸発して残存しないため殆ど問題となることは無い。
【００２７】
前記水溶液又はアルコール溶液中には更に、柿の葉、松、杉、あま茶づる、シソ、ワサビ、アカネ、ウメ、ニンニク、ペパーミント、ヨモギ、サンショウ、ダイオウ、アザミ、ハッカ、ビワ、ムラサキ、ラベンダー、レモングラス、及びレンギョウの抽出成分、ハチミツより抽出されるプロポリス等を含有してもよい。これらは、ヒノキチオールの殺菌力を損なうことなく、ヒノキチオールの独特の臭い、苦みを緩和することができ、また、水に対するヒノキチオールの溶解度を高めることができる。
【００２８】
上記に加え、さらに必要に応じて、従来使用されている添加剤、例えば金属石鹸、動物抽出物、ビタミン剤、ホルモン剤、アミノ酸等の薬効剤、色素、香料、紫外線吸収剤、酸化防止剤、金属イオン封鎖剤、ｐＨ調整剤等を適宜配合することもできる。
【００２９】
紙又は不織布に、含浸又は塗布するヒノキチオール若しくはその金属錯体又はそれらの塩を含む水溶液又はアルコール含有率２０ないし６０％のアルコール溶液の好ましい態様としては、以下が挙げられる。
０．５ないし５％のヒノキチオール銅錯体を含むアルコール含有率１０ないし６０％のエタノール溶液（水溶液）。
０．５ないし５％のヒノキチオール亜鉛錯体を含むアルコール含有率１０ないし６０％のエタノール溶液（水溶液）。
０．５ないし５％のヒノキチオール塩化亜鉛混合物を含むアルコール含有率１０ないし６０％のエタノール溶液（水溶液）。
０．５ないし５％のヒノキチオールアルミニウム錯体を含むアルコール含有率１０ないし６０％のエタノール溶液（水溶液）。
０．５ないし５％のヒノキチオールビスマス錯体を含むアルコール含有率１０ないし６０％のエタノール溶液（水溶液）。
０．５ないし５％のヒノキチオール亜鉛錯体及びヒノキチオールアルミニウム錯体の混合物を含むアルコール含有率１０ないし６０％のエタノール溶液（水溶液）。
【００３０】
抗菌シートは、上記で示された各種成分を含有する水溶液又はアルコール溶液を紙又は不織布に、含浸又は塗布することにより製造される。
上記含浸は、各種成分を含有する水溶液又はアルコール溶液中に紙又は不織布を浸漬し、その後乾燥することにより行うことができる。
【００３１】
上記塗布としては、例えば、刷毛塗り、ロールコート、スプレーコート（吹き付け）、スピンコート、スリットコート等の慣用の塗布方法を採用することができる。
【００３２】
上記塗布により、特定のパターンを形成してもよい。
上記特定のパターンは、上記慣用の塗布方法を用いて形成することもできるが、慣用の印刷機、例えば、スクリーン印刷、グラビア印刷、フレキソ印刷、インクジェット印刷及びオフセット印刷等を用いて形成することもできる。
また、使用する水溶液又はアルコール溶液の温度は、３０ないし６０℃であるのが好ましく、また、３０℃ないし４５℃であるのが好ましい。
【００３３】
塗布は、紙又は不織布の片面のみに施されてもよいし、両面に施されてもよい。しかし、有効成分を削減できるという点から表面シート側の片面のみに施されるのが好ましい。
【００３４】
本発明の生理用ナプキンは、透水性の表面シートと非透水性の裏面シートの間に吸水材を介装して構成され、透水性の表面シートと吸水材の間に抗菌シートを配置してなるものである。
【００３５】
透水性の表面シートは、身体に接する内面側のシートであり、斯かるシートとしては、各種の熱可塑性樹脂から成る不織布やこれに穿孔処理したもの、穿孔処理したシートやフィルムが挙げられる。好適な表面シートは、様々な材料、例えば織布材料または不織布材料；孔あき成形熱可塑性フィルム、孔あきプラスチックフィルム、及び繊維絡み合わせ孔あきフィルムを包含する孔あきフィルム材料；ハイドロフォーミングされた熱可塑性フィルム；多孔質発泡体；網状発泡体；網状熱可塑性フィルム；熱可塑性スクリム；またはこれらの組み合わせにより製造され得る。
また、表面シートとして用いるのに好適な織布材料及び不織布材料の非限定例には、天然繊維、修飾された天然繊維、合成繊維、またはこれらの組み合わせから製造された繊維性材料が挙げられる。
表面シートが、不織布ウェブの形態の不織布繊維性材料を含む場合には、その不織布ウェブは不織布ウェブを製造するいかなる既知の手順により製造することもできるが、これの非限定例として、スパンボンディング、カーディング、湿式、風成、メルトブロウン、ニードルパンチング、機械的絡み合わせ、熱機械的絡み合わせ、及び湿式絡み合わせが挙げられる。
【００３６】
非透水性の裏面シートは、衣類に接する外面側のシートであり、斯かるシートとしては、撥水処理された不織布や熱可塑性樹脂などの非透水性の従来公知の各種シートが使用される。裏面シートとして用いるのに好適な材料には、織布材料及び不織布材料、ラミネー
トティッシュ、ポリエチレン及び／またはポリプロピレンの熱可塑性フィルムのようなポリマーフィルム、フィルムコーティング不織布材料のような複合材料、またはこれらの組み合わせが挙げられるが、これらに限定されない。
【００３７】
吸水材としては、当該技術分野において吸水材として使用されているものであれば如何なるものも用いることができ、実質的に水分を吸収保持し得るものであればよく、例えば、パルプ、レーヨン、コットン等、親水性の天然繊維、または、ポリエチレン、ポリプロピレン、ポリエステル、ポリアミド等の合成繊維から成る紙、パルプシート、不織布などによって構成されるものを用いることができる。好適な吸水材としては、一般にエアフェルトと呼ばれる粉砕木材パルプ；捲縮セルロース塊；ヒドロゲル形成性ポリマーゲル化剤のような超吸収性ポリマーを包含する吸収性ゲル材料；化学的に剛化、変性、若しくは架橋したセルロース繊維；コフォームを包含するメルトブロウンポリマー；捲縮ポリエステル繊維を包含する合成繊維；ティッシュラップ及びティッシュラミネートを包含するティッシュ；毛管チャネル繊維；吸収性フォーム；吸収性スポンジ；合成ステープル繊維；ピートモス；若しくは任意の等価の材料；またはこれらの組み合わせが挙げられる。吸水材は、単層構造、複層構造の何れであってもよく、また、吸水材には、消臭剤、脱臭剤、抗菌剤、芳香剤、吸湿剤などを担持させてもよい。
【００３８】
裏面シートの外側面には、下着にナプキン本体を固定するための粘着剤層が設けられ、斯かる粘着剤層は、使用時まで剥離紙によって被覆される。
上記の表面シートと裏面シートは、抗菌シートと吸水材を挟み込んだ状態で貼り合わされる。表面シートと裏面シートとの貼着部は、従来のナプキンと同様に、吸水材の外周囲に張出された各シートの周縁部とされ、貼合せ方法としては、接着剤を使用した貼着、ヒートシール、超音波溶着などの方法が採用される。
また、本発明の生理用ナプキンは、当該技術分野において既知の「ウィング」または「フラップ」を有する形状を採用することもできる。
【００３９】
このようにして構成された、本発明の生理用ナプキンは、安全性に優れ、低刺激性であるため、膣カンジダ症の発症後の生理においても安心して使用でき、これにより、症状を軽度に抑えることができ、また、治癒までの期間を短くすることができ、また、例え生理中に発症したとしても、症状を軽度に抑えることができ、それにより、治癒までの期間を短くすることができるため、非常に有用である。
【実施例】
【００４０】
以下の実施例により本発明をより詳しく説明する。但し、実施例は本発明を説明するためのものであり、いかなる方法においても本発明を限定することを意図しない。
【００４１】
製造例１：ヒノキチオール水溶液の調製
以下の組成に従ってヒノキチオール水溶液を調製した。
【表１】
2010183992.tif 000002
【００４２】
製造例２：ヒノキチオール塩化亜鉛混合物溶液の調製
ヒノキチオール３２．８ｇ（０．２ｍｏｌ）に４０℃ないし５０℃でメタノール１５０ｇを滴下して溶解し、そのままの温度で１時間攪拌した。この溶液に、メタノール１００ｇに塩化亜鉛（ＺｎＣｌ2）１３．６ｇ（０．１ｍｏｌ）を溶解させた溶液を、３０℃な
いし４０℃で１．６時間かけて滴下し、４０℃ないし４５℃で５時間反応させた。冷却後、析出物を濾取し、濾物をメタノール３０ｇで２回洗浄した。減圧下（１３３．３Ｐａ）１９ないし４８℃で乾燥することにより、ヒノキチオール塩化亜鉛混合物３７．１ｇを淡黄色塊として得た。
上記で得たヒノキチオール塩化亜鉛混合物を３０％エタノール水溶液に溶解して、１％ヒノキチオール塩化亜鉛混合物溶液及び０．３％ヒノキチオール塩化亜鉛混合物溶液を調製した。
【００４３】
製造例３：ヒノキチオールナトリウム塩溶液の調製
２５％水酸化ナトリウム水溶液１１２ｇ（０．７ｍｏｌ）を、ヒノキチオール１２１．１ｇ（０．７３８ｍｏｌ）をメタノール１６０ｇに溶解した溶液に、３５℃ないし４０℃でゆっくり滴下した。溶液を３０℃ないし４０℃で２時間反応させた。減圧下で溶媒（メタノール）を留去して黄色塊を沈殿させ、該残渣をアセトン３００ｇで再結晶し、濾過した後、減圧下（１３３．３Ｐａ、７時間）で乾燥することにより、黄色のナトリウム塩（２水和物、１３３ｇ）を得た。
上記で得たヒノキチオールナトリウム塩を３０％エタノール水溶液に溶解して、３％ヒノキチオールナトリウム塩溶液を調製した。
【００４４】
製造例４：ヒノキチオール溶液（３０％エタノール水溶液）の調製
ヒノキチオールを３０％エタノール水溶液に溶解して、１％ヒノキチオール溶液を調製した。
【００４５】
製造例５：抗菌シートの作成（上質紙）
上質紙に製造例１で調製した水溶液（３０℃）をインクとして用い、慣用のグラビア印刷機及び印刷条件でグラビア印刷（全面）を行うことにより、抗菌シートを作製した。
尚、上記抗菌シートにおけるヒノキチオールの量は、ＨＰＬＣ分析により、２．９μｇ／ｃｍ2であった。
【００４６】
製造例６：抗菌シートの作成（レーヨン不織布）
レーヨン不織布（目付９０ｇ／ｍ2）に製造例１で調製した水溶液（３０℃）を基材の
重量に対して１００質量％含浸させた後、乾燥することにより、抗菌シートを作成した。
【００４７】
製造例７：抗菌シートの作成（和紙）
レーヨン不織布を和紙（秤量１８ｇ／ｍ2）に代えた以外は製造例６と同様の操作を行
って抗菌シートを得た。
【００４８】
製造例８
製造例１で調製した水溶液を製造例２で調製した１％ヒノキチオール塩化亜鉛混合物溶液に代えた以外は製造例６と同様の操作を行って抗菌シートを作成した（レーヨン不織布）。
【００４９】
製造例９
製造例８で使用した１％ヒノキチオール塩化亜鉛混合物溶液を０．３％ヒノキチオール塩化亜鉛混合物溶液に代えた以外は製造例８と同様の操作を行って抗菌シートを得た（レーヨン不織布）。
【００５０】
製造例１０
製造例１で調製した水溶液を製造例２で調製した１％ヒノキチオール塩化亜鉛混合物溶液に代えた以外は製造例７と同様の操作を行って抗菌シートを作成した（和紙）。
【００５１】
製造例１１
製造例１０で使用した１％ヒノキチオール塩化亜鉛混合物溶液を０．３％ヒノキチオール塩化亜鉛混合物溶液に代えた以外は製造例１０と同様の操作を行って抗菌シートを得た（和紙）。
【００５２】
製造例１２
製造例１で調製した水溶液を製造例３で調製した３％ヒノキチオールナトリウム塩溶液に代えた以外は製造例６と同様の操作を行って抗菌シートを作成した（レーヨン不織布）。
【００５３】
製造例１３
製造例１で調製した水溶液を製造例３で調製した３％ヒノキチオールナトリウム塩溶液に代えた以外は製造例７と同様の操作を行って抗菌シートを作成した（和紙）。
【００５４】
製造例１４
製造例１で調製した水溶液を製造例４で調製した１％ヒノキチオール溶液に代えた以外は製造例６と同様の操作を行って抗菌シートを作成した（レーヨン不織布）。
【００５５】
製造例１５
製造例１で調製した水溶液を製造例４で調製した１％ヒノキチオール溶液に代えた以外は製造例７と同様の操作を行って抗菌シートを作成した（和紙）。
【００５６】
試験例１：黄色ブドウ球菌及び大腸菌に対する抗菌シートの効果試験
大腸菌（Ｅｓｃｈｅｒｉｃｈｉａ ｃｏｌｉ）ＩＦＯ  １２５２９株及び黄色ブドウ球
菌（ＩＦＯ  １２７３２株）を、それぞれ普通ブイヨン培地で３７℃にて１８時間培養した後、培養液１０μＬを３ｍＬの普通ブイヨン培地に添加後、３７℃にて６時間振とう培養した。この培養液を生理食塩水（０．８５％食塩水）にて１０段階希釈し、１０5倍ま
で希釈したものを添加細菌液（大腸菌、黄色ブドウ球菌）とした。
滅菌ガラス板（５０ｍｍ×５０ｍｍ）を直径９０ｍｍ×高さ２０ｍｍの滅菌シャーレに
入れ、滅菌ガラス板表面に添加細菌液（大腸菌、黄色ブドウ球菌）の各１ｍＬを塗布した。滅菌ガラス板表面を、抗菌シート（製造例５ないし１５）で拭取った後、滅菌ガラス板表面の残存菌を洗い出すため、滅菌生理食塩水（ｐＨ７．４）を直ちに１０ｍＬ添加してよく攪拌した。得られた試験菌抽出液１ｍＬ中の生菌数を標準寒天培地法により測定した。
結果を表２に示した。製造例５ないし１５の抗菌シートは、大腸菌、黄色ブドウ球菌に対して、共に優れた抗菌効果を示すことが確認された。
【表２】
2010183992.tif 000003
【００５７】
試験例２：酵母菌に対する抗菌活性試験
１）被験薬剤
ヒノキチオール混合液
製造例１に記載の水溶液において、精製水のみを６２０ｇ用いて調製したヒノキチオール３．２ｍｇ／ｍＬを含む水溶液を、滅菌蒸留水で１／８希釈を４回行い、５系列の薬液を作製した。各希釈液から０．４、０．２、０．１ｍＬを取り、直径１０ｃｍのシャーレ（Ｆａｌｃｏｎ＃１００１）に分注した。５０〜６０℃に冷ましたオートクレーブ済み培地を分注器を用いて１０ｍＬづつシャーレに分注し、直ちに薬液と培地をよく混合して培地固化後、培地表面を乾かし使用した。
２）使用菌株
使用した菌種及び菌株は以下の通り。
カンジダ  アルビカンス（Ｃａｎｄｉｄａ  ａｌｂｉｃａｎｓ）（菌株：ＡＴＣＣ３４１７、ＹＵ−１２００、ＭＴＵ１２００１、ＭＴＵ１２００２、ＭＴＵ１２１２４、ＩＦＯ１２６９、ＩＦＯ１３８５、ＩＦＯ１３８８、ＩＦＯ１５９４）、カンジダ  ギリエルモンジイ（Ｃａｎｄｉｄａ  ｇｉｌｌｉｅｒｍｏｎｄｉｉ）（菌株：ＩＦＯ０６７９、ＩＦＯ０８３８）、カンジダ  クルセイ（Ｃａｎｄｉｄａ  ｋｒｕｓｅｉ）（菌株：ＩＦＯ００１１、ＩＦＯ１３９５）、カンジダ  シュードトロピカリス（Ｃａｎｄｉｄａ  ｐｓｅｕｄｏｔｒｏｐｉｃａｌｉｓ）（菌株：ＩＦＯ０６１７）、カンジダ  トロピカリス（Ｃａｎｄｉｄａ  ｔｒｏｐｉｃａｌｉｓ）（菌株：ＩＦＯ０００６、ＩＦＯ１６４７、ＭＴＵ１２０３２、ＭＴＵ１２０３４）、カンジダ  パラプシローシス（Ｃａｎｄｉｄａ  ｐａｒａｐｓｉｌｏｓｉｓ）（菌株：ＩＦＯ１３９６）、カンジダ  ステラトイデア（Ｃａ
ｎｄｉｄａ  ｓｔｅｌｌａｔｏｉｄｅａ）（菌株：ＩＦＯ１３９８）、カンジダ  グラブラータ（Ｃａｎｄｉｄａ  ｇｌａｂｒａｔａ）（菌株：ＩＭＦ４００６５、ＩＭＦ４０１２１）、サッカロミセス  セレビシエ（Ｓａｃｃｈａｒｏｍｙｃｅｓ  Ｃｅｒｅｖｉｓｉａｅ）（菌株：ＩＭＦ４０１９５、ＩＭＦ４０１９６）、クリプトコッカス  ネオフォルマンス（Ｃｒｙｐｔｏｃｏｃｃｕｓ  ｎｅｏｆｏｒｍａｎｓ）（菌株：ＭＴＵ１３００１、ＭＴＵ１３００２）
３）使用培地
ｉ）増菌用培地：ＰＹＧ寒天培地（ペプトン  １％、グルコース  ３％、イーストエキストラクト０．３％、寒天  １．５％）
ｉｉ）前培養培地：ＰＹＧ  Ｂｒｏｔｈ（ペプトン  １％、グルコース３％、イーストエキストラクト  ０．３％）
ｉｉｉ）感受性測定培地：Ｂｒａｉｎ−ｈｅａｒｔ  Ｉｎｆｕｓｉｏｎ寒天培地（ＢＨＩ
Ａｇａｒ；Ｅｉｋｅｎ）
３）接種菌液の調製
菌接種前日までにフリーザー保存の菌を増菌用培地で培養しておき（培養条件：３５℃、２日間）、菌接種前日に増菌した菌を滅菌爪楊枝にて釣菌し、前培養培地（０．５ｍＬ）を入れた小試験管（ＭＩＣ用チビ小試）に接種し、一晩培養した。菌接種日は、前培養した菌液を、カンジダ（Ｃａｎｄｉｄａ）属及びサッカロミセス（Ｓａｃｃｈａｒｏｍｙｓｅｓ）属は前培養液を２０倍希釈したものを接種菌液として使用し、クリプトコッカス（Ｃｒｙｐｔｏｃｏｃｃｕｓ）属はそのままのものを接種菌液として使用した。
４）菌液の接種
ミクロプランター（佐久間製作所製、２７ピン）を使用し、寒天培地に上記の接種菌液を５μＬ／ｓｐｏｔ接種した。
感受性測定培地（ＢＨＩ）へ、ヒノキチオール混合液を添加したところ、１２８μｇ／ｍＬの濃度で析出が観られたため、これ以上の濃度での判定は行わなかった。
ＭＩＣの測定結果を表３に示した。
【表３】
2010183992.tif 000004
ヒノキチオール混合液は、酵母菌に対し幅広い抗菌スペクトルを示し、その活性（ＭＩＣ）は、カンジダ  ギリエルモンジイを除き、３２μｇ／ｍＬであった。
以上のことから、ヒノキチオール、ヒノキチオール塩化亜鉛混合物及びヒノキチオールナトリウム塩を含む製造例５ないし１５の抗菌シートも同様に、種々の酵母菌に対する抗菌効果を奏し得ると考えられる。
【００５８】
実施例１ないし１１（生理用ナプキンの製造）
表面シート（PE/EVA多孔樹脂フィルム（開孔率２５％、目付け量３５g/m2））、製造例５ないし１５で作成した抗菌シート、エアレイド吸収体（目付け２２０g/m2）、裏面シート（PE樹脂フィルム（目付け量２５g/m2））の順に配置して生理用ナプキン（実施例１ないし１１）を製造した。
【００５９】
試験例４：皮膚刺激性試験
上記で製造した生理用ナプキンをパネラー１０人に対して装着試験を行ったところ、何れの生理用ナプキンにおいても皮膚刺激性は観察されなかった。